(57)【要約】【課題】従来例における自動封入装置の自動処理能力を大幅に高めるとともにマッペへの移送乾燥作業の二重手間が発生しないようにすること、マッペ上のスライド標本をその各患者の既往歴や属性とデータリンク付けを実行し、顕微鏡のステージ上に順次載せてデジタル画像の取込みを実施できるようにすること、スライド標本の判定診断鏡検或いは接写する顕微鏡作業の完了したスライド標本を、標本整理保管ケースに自動的に順次収納整理保管すること。【解決手段】マッペ本体7に収納区画形成格子状構造7aを設け、複数のスライドグラス収納区画部7bを形成したマッペにおいて、前記マッペ本体の各ライドグラス収納区画部内に、突起差込み溝7eを形成し、前記突起差込み溝に、前記マッペ本体の下面側から突起形成板に設けた突起構造のテーブルの脚状突起を挿入し、前記スライドグラス収納区画部内のスライド標本1aを、前記収納区画形成格子状構造から突出させる。【選択図】図６
2007147399.tif 000002
【特許請求の範囲】
【請求項１】
生物試料スライド標本をスライド標本の封入・乾燥・顕微鏡鏡検及び接写の作業工程とスライド収納管理保管ケースに整理収納作業で該生物試料スライド標本を整理収納できるスライド標本整列整理に使用するマッペにおいて、
該マッペ上に前記生物試料スライド標本の各々を整列整理収納する区画を形成するための格子状構造の各区画底部にそのマッペの格子状構造の下側底部に該生物試料スライド標本を自動的機械的に移送または滑走や持ち上げる行為を簡便にできることを保証する該生物試料スライド標本を最低一面または二面以上の該生物試料スライド標本の底面積より狭い面上に載せることができるレール状またはテーブルの脚状や台状構造を成形または嵌合できる構造のシステムマッペ。
【請求項２】
前記各格子状構造の各区画底部において、
そのマッペの格子状構造の下側底部に該生物試料スライド標本を自動的機械的に移送または滑走や持ち上げる行為を簡便にできることを保証する該生物試料スライド標本を最低一面または二面以上の該生物試料スライド標本の底面積より狭い面上に載せることができる構造物を差し込み嵌合可能な差し込み溝の開口部を形成している請求項１記載のシステムマッペ。
【請求項３】
上記各格子状構造の各区画底部において、
前記格子状構造物と前記底部とが取り外すことが出来、該格子状構造物と該底部とで挟持固定出来て前記生物試料スライド標本を橋渡し状に載せることが出来る平行な２本のレール状構造物との３パーツに分解可能な請求項１記載のシステムマッペ。
【請求項４】
上記各格子状構造の各区画底部において、
前記格子状構造物と前記底部とが取り外すことが出来、
該格子状構造物と該底部を外すと、該底部の前記生物試料スライド標本の長辺部分に直角に交差する方向に前記生物試料スライド標本を橋渡し状に載せることが出来るレール状構造物が成形されており、
該レール状構造物の内側はそのマッペ底部が底部構造を維持できるように連結している片方を除いた底部分は片方の連結している底部側壁枠近辺までコの字型に切り込まれて解放されているスライド出入操作溝を形成している請求項１記載のシステムマッペ。
【請求項５】
請求項１から請求項４のシステムマッペを使用または１パーツとして兼用できるスライド標本の封入・乾燥・顕微鏡鏡検及び接写の作業工程とスライド収納管理保管ケースに整理収納作業で該生物試料スライド標本を整理収納できるスライド標本整列整理に使用する自動スライド標本マッペ移送装置において、
自動封入された封入剤がまだ乾燥していないスライド標本さえも順次自動的に前記システムマッペの格子状構造の各区画内に整理収納する為に前記レールまたは台状構造の上をスライド標本を機械的に滑走や持ち上げる行為で簡単で且つ確実に移送することを保証すると共に、
該生物試料スライド標本の試料患者データを含む生物特性データである試料管理番号や患者番号等の試料特性を現すデータ伝達メディアを読取るリーダを備えている自動スライド標本マッペ移送装置。
【請求項６】
前記試料患者データを含む生物特性データである試料管理番号や患者番号等の試料特性を現すデータ伝達メディアを読取り、データリンク付けられた該生物試料スライド標本のバーチャルスライドや診断画像の接写取込みを実施するための顕微鏡ステージ上に該生物試料スライド標本を順次載せて且つ接写取込み後の前記データリンク付けられた生物試料スライド標本を、再度順次システムマッペ上に整理収納できる請求項５の自動スライド標本マッペ移送装置。
【請求項７】
前記試料患者データを含む生物特性データである試料管理番号や患者番号等の試料特性を現すデータ伝達メディアを読取りデータリンク付けられた該生物試料スライド標本を、その機能に対応するスライド標本保管管理収納ケースの所定の位置に順次移送整理収納することができる請求項５、又は、６記載の自動スライド標本マッペ移送装置。
【請求項８】
マッペ本体の底部に収納区画形成格子状構造を設け、複数のスライドグラス収納区画部を形成したマッペにおいて、
前記マッペ本体と収納区画形成格子状構造は、互いに着脱可能に形成され、
前記マッペ本体には、スライド標本を載置するレール状の突起構造が着脱自在に設けられ、
該レール状の突起構造は、前記マッペ本体と前記収納区画形成格子状構造により挟持されることを特徴とするシステムマッペ。
【請求項９】
マッペ本体に収納区画形成格子状構造を設け、複数のスライドグラス収納区画部を形成したマッペにおいて、
前記マッペ本体の各ライドグラス収納区画部内に、突起差込み溝を形成し、
前記突起差込み溝に、前記マッペ本体の下面側から、突起形成板に設けた突起構造のテーブルの脚状突起又は台状突起を挿入し、
前記スライドグラス収納区画部内のスライド標本を、前記収納区画形成格子状構造から突出させることを特徴とするシステムマッペ。
【請求項１０】
請求項９記載のシステムマッペを用いる自動スライド標本マッペ移送装置において、
スライド標本を挟持して前記マッペに搬入、又は、該マッペから搬出する移送手段と、
前記スライド試料特性を現す、データ伝達メデイアを読取るリーダと、
該リーダからの情報を蓄積管理するコンピュータ装置と、
を備えていることを特徴とする自動スライド標本マッペ移送装置。
【発明の詳細な説明】
【技術分野】
【０００１】
この発明は、医師や生命科学者が病気の診断や治療を決める為または生命の研究ために患者や生命体から採取した細胞組織塊試料を薄切染色封入した、スライド標本の配列整理保管等に用いるシステムマッペ及びそれを用いる自動スライド標本マッペ移送装置に関するものである。
【背景技術】
【０００２】
患者や生命体から採取した細胞組織塊試料(生物試料)は、包埋剤を用いてカセット底面外側に包埋固定される。次に、前記カセットの生物試料は薄切され、その薄切片は、スライドグラスに伸展貼り付けられて、染色スライドグラス標本(スライド標本)となる。このスライド標本は、カバーグラスにより封入されるが、この封入作業は、自動封入機を用いて行われている。
【０００３】
自動封入機で封入された染色スライド標本は、その機器に付属している２０数枚のスライド収納スペースしかない専用のスライド専用収納棚（カートリッジ）、３個程度（約６０枚程）に順次収納される。その後、該封入済み染色スライド標本は、該カートリッジから一枚ずつ引き出され、スライド標本配列整理用マッペに順次収納される。
【０００４】
前記スライド標本を前記マッペに収納するのは、該スライド標本を乾燥させると共に、そのスライド標本の各患者試料（各生物試料特性ごと）の一纏めのスライド標本を順番毎に順次判定診断鏡検する為である。
【０００５】
また従来は、前記スライド標本を病理医師或いは判定作業者が顕微鏡で判定診断鏡検或いは接写する場合には、その都度該スライド標本のデータ記載部を目視、又は、バーコード等の情報記憶部をリーダ（読取り機）に作業者が翳して、その患者の既往歴や属性（各生物試料特性含む）を確認しながら、そのスライド標本を顕微鏡のステージに載せて作業を実行していた。
【０００６】
又、前記スライド標本を顕微鏡にて判定診断鏡検或いは接写する場合、その作業従事者自身の手で、配列整理収納してあるマッペ上のスライド標本を顕微鏡のステージ上に載せて作業を実行している。
【０００７】
また従来は、前記スライド標本の判定診断鏡検或いは接写作業の終了後には、その作業終了したスライド標本は、再度元の前記マッペに収納された儘人手でスライド標本保管管理収納ケースに保管整理されるまで、何日も何ヶ月も時には何年も整理されること無く堆く積まれて埃を被った儘放置されている。
【発明の開示】
【発明が解決しようとする課題】
【０００８】
従来例には、次のような問題がある。
（１）現在は複数の病理機器メーカーが販売している自動封入機でもスライド標本の機械的封入作業が実施されている。この各社の自動封入機に付属している専用の封入済みスライド標本の収納装置（カートリッジ）は、各社若干の相違は有るが、その収納装置は、所謂２０数枚のスライド収納スペースしかない専用のスライド専用収納棚（カートリッジ）、３個分程度（約６０枚程）の大きさである。
【０００９】
そのため、該カートリッジに封入済みスライド標本を順次収納し、６０枚程のスライド標本がその専用のスライド収納棚（カートリッジ）、３個分程度に収納されきると、作業従事者が所定の箇所から専用スライド収納棚（カートリッジ）を取り外し、改めてマッペに封入済みスライド標本を移し替えて乾燥させており、作業の二重手間が生じている。この作業は、二重手間のみならず、６０枚程度のスライド標本の封入作業は２０分程で完了するので、作業従事者は他の作業に従事する暇がなく、この自動封入機に付きっきりになっている。
【００１０】
それは、この自動封入機の封入作業は、無人では行うことが出来ないことを意味しており、標本作製時の透徹や封入剤として多く使用されている有機溶剤であるキシロール等が労働環境上問題視されている今、折角の自動封入機が夜中や無人で稼働させることが出来ないことは、自動封入機としては完成していないことになる。
【００１１】
従来例では、マッペ上のスライド標本をその各患者の既往歴や属性（各生物試料特性含む）とデータリンク（関連）付けを実行し、顕微鏡のステージ上に順次載せてデジタル画像の取込みを実施することができない。この作業を自動化できると、テレパソロジーやテレサイトロジー等の遠隔診断やデータ画像の取込みによるバーチャルスライドの作製の確実な自動化が可能となり、人手を使わずに無人での画像の取込みが出来て、夜中の時間を利用してのデータ画像の取込みが出来るが、前記従来例では、不可能である。
【００１２】
従来例では、上記の機械的作業を発展させて、スライド標本の判定診断鏡検或いは接写する顕微鏡作業の完了したスライド標本を、標本整理保管ケースに自動的に順次収納整理保管することができない。
【００１３】
この発明は、上記事情に鑑み、従来例における作業の二重手間が発生しないようにすることを目的とする。
【００１４】
他の目的は、マッペ上のスライド標本をその各患者の既往歴や属性とデータリンク付けを実行し、顕微鏡のステージ上に順次載せてデジタル画像の取込みを実施できるようにすることである。
【００１５】
更に他の目的は、スライド標本の判定診断鏡検或いは接写する顕微鏡作業の完了したスライド標本を、標本整理保管ケースに自動的に順次収納整理保管することである。
【課題を解決するための手段】
【００１６】
この発明は、生物試料スライド標本をスライド標本の封入・乾燥・顕微鏡鏡検及び接写の作業工程とスライド収納管理保管ケースに整理収納作業で該生物試料スライド標本を整理収納できるスライド標本整列整理に使用するマッペにおいて、該マッペ上に前記生物試料スライド標本の各々を整列整理収納する区画を形成するための格子状構造の各区画底部にそのマッペの格子状構造の下側底部に該生物試料スライド標本を自動的機械的に移送または滑走や持ち上げる行為を簡便にできることを保証する該生物試料スライド標本を最低一面または二面以上の該生物試料スライド標本の底面積より狭い面上に載せることができるレール状またはテーブルの脚状や台状構造を成形または嵌合できる構造であることを特徴とする。
【００１７】
この発明は、前記各格子状構造の各区画底部において、そのマッペの格子状構造の下側底部に該生物試料スライド標本を自動的機械的に移送または滑走や持ち上げる行為を簡便にできることを保証する該生物試料スライド標本を最低一面または二面以上の該生物試料スライド標本の底面積より狭い面上に載せることができる構造物を差し込み嵌合可能な差し込み溝の開口部を形成していることを特徴とする。
【００１８】
この発明は、上記各格子状構造の各区画底部において、前記格子状構造物と前記底部とが取り外すことが出来、該格子状構造物と該底部とで挟持固定出来て前記生物試料スライド標本を橋渡し状に載せることが出来る平行な２本のレール状構造物との３パーツに分解可能なであることを特徴とする。
【００１９】
この発明は、上記各格子状構造の各区画底部において、前記格子状構造物と前記底部とが取り外すことができ、該格子状構造物と該底部を外すと、該底部の前記生物試料スライド標本の長辺部分に直角に交差する方向に前記生物試料スライド標本を橋渡し状に載せることが出来るレール状構造物が成形されており、該レール状構造物の内側はそのマッペ底部が底部構造を維持できるように連結している片方を除いた底部分は片方の連結している底部側壁枠近辺までコの字型に切り込まれて解放されているスライド出入操作溝を形成していることを特徴とする。
【００２０】
この発明は、前記システムマッペを使用または１パーツとして兼用できるスライド標本の封入・乾燥・顕微鏡鏡検及び接写の作業工程とスライド収納管理保管ケースに整理収納作業で該生物試料スライド標本を整理収納できるスライド標本整列整理に使用する自動スライド標本マッペ移送装置において、自動封入された封入剤がまだ乾燥していないスライド標本さえも順次自動的に前記システムマッペの格子状構造の各区画内に整理収納する為に前記レールまたは台状構造の上をスライド標本を機械的に滑走や持ち上げる行為で簡単で且つ確実に移送することを保証すると共に、該生物試料スライド標本の試料患者データを含む生物特性データである試料管理番号や患者番号等の試料特性を現すデータ伝達メディアを読取るリーダを備えていることを特徴とする。
【００２１】
この発明は、前記試料患者データを含む生物特性データである試料管理番号や患者番号等の試料特性を現すデータ伝達メディアを読取り、データリンク付けられた該生物試料スライド標本のバーチャルスライドや診断画像の接写取込みを実施するための顕微鏡ステージ上に該生物試料スライド標本を順次載せて且つ接写取込み後の前記データリンク付けられた生物試料スライド標本を、再度順次システムマッペ上に整理収納できることを特徴とする。
【００２２】
この発明は、試料患者データを含む生物特性データである試料管理番号や患者番号等の試料特性を現すデータ伝達メディアを読取りデータリンク付けられた該生物試料スライド標本を、その機能に対応するスライド標本保管管理収納ケースの所定の位置に順次移送整理収納することができることを特徴とする。  
【００２３】
この発明は、マッペ本体の底部に収納区画形成格子状構造を設け、複数のスライドグラス収納区画部を形成したマッペにおいて、  前記マッペ本体と収納区画形成格子状構造は、互いに着脱可能に形成され、前記マッペ本体には、スライド標本を載置する突起構造のレール状突起が着脱自在に設けられ、  該突起構造は、前記マッペ本体と前記収納区画形成格子状構造により挟持されることを特徴とする。
【００２４】
この発明は、マッペ本体に収納区画形成格子状構造を設け、複数のスライドグラス収納区画部を形成したマッペにおいて、  前記マッペ本体の各ライドグラス収納区画部内に、突起差込み溝を形成し、  前記突起差込み溝に、前記マッペ本体の下面側から突起形成板に設けた突起構造のテーブルの脚状突起又は台状突起を挿入し、
前記スライドグラス収納区画部内のスライド標本を、前記収納区画形成格子状構造から突出させることを特徴とする。
【００２５】
前記システムマッペを用いる自動スライド標本マッペ移送装置において、スライド標本を挟持して前記マッペに搬入、又は、該マッペから搬出する移送手段と、前記スライド試料特性を現す、データ伝達メデイアを読取るリーダと、該リーダからの情報を蓄積管理するコンピュータ装置と、を備えていることを特徴とする。
【発明の効果】
【００２６】
この発明は、突起構造のレール状突起を備えているので、収納区画形成格子状構造を外し、該レール上のスライド標本を滑らせて移動させることができる。
【００２７】
この発明は、突起構造のレール状突起やテーブルの脚状突起、又は、台状突起を備えているので、マッペ本体の差込み溝に、前記突起を挿入すると、前記スライドグラス収納区画部内のスライド標本は、前記収納区画形成格子状構造から上部に突出する。そのため、スライド標本の両側部を移動搬送手段で挟持し自動的に、所望の位置に搬送したり、又は、元の位置に戻すことができる。
【００２８】
この発明は、スライド標本の移送手段により搬送されるスライド標本を任意の場所、例えば、顕微鏡ステージ、スライド収納管理保管ケース、などに搬送したり、また、スライド標本などの情報をリーダで読み取り、その情報をコンピュータ装置により保管管理することができる。
【発明を実施するための最良の形態】
【００２９】
本件発明者は、従来の自動封入機の専用スライド収納棚、３個程度（約６０枚程）重ねた構造は、専用スライド収納棚の形状の設置スペースと収納スペースの面から考えても無駄な作業工程であり、又、直接に厚さ５ｍｍ程度で２０枚から３６枚収納できる所謂マッペを、例えば、５０枚重ねると、一度に１０００枚から１８００枚の封入済みスライドグラス（スライド標本）を収納することができる上に、そのまま乾燥前の封入済みスライド標本（スライド標本）の順次整理収納と乾燥作業が完了するので、従来の専用スライド収納棚（カートリッジ）にスライド標本を収納する二重手間が無くなる、と考えた。
【００３０】
そこで、広いスライドグラス整理収納用マッペの収納区画形成格子状構造で形成されたスライドグラス収納区画部にスライド標本を出し入れする為に、スライド標本を機械的に移動するには、どうすれば良いかについて検討した。その結果、その方法として、平面上を滑らす方法、人間が手で持ち運ぶ様にスライド標本の両端部やフロスト（データ記載部）の表裏を挟持保持して運ぶ方法、スライド標本の表面を吸引（吸い付けて）して持ち上げる方法、があることがわかった。
【００３１】
しかし、スライド標本の表面を吸引（吸い付けて）して持ち上げる方法では、スライド標本の染色切片上のカバーグラスの大きさは、切片の大きさによって変化し，また主にスライド標本の中心部分近くに位置している上に、該カバーグラスと封入される染色済み封入前スライドグラスの面積比率は結構大きいので、封入剤が完全に乾燥するまでの間（約２週間程度）は、吸引法を実施するとカバーグラスとスライドグラスとの間の封入剤が緩みカバーグラスが剥がれてしまう。そのため、この方法は、自動封入機の封入直後の封入済みスライドグラス（スライド標本）には用いることが出来ない。
【００３２】
そこで、他の機械的移動法は、平面上を滑らす方法か、スライド標本の両端部やフロスト（データ記載部）の表裏を挟持保持して運ぶ方法とになる。しかし、厚さ１mm程度のスライド標本（封入済みスライドグラス）を滑らすにしても、挟持保持して運ぶ方法にしても、このスライド標本を機械的に的確に認識して押したり、或いは、挟持保持するには、スライド標本の底面全面を置く平面に接着接地させることなく、スライド標本の底面全面よりも狭い台状部に載せるか、又は、複数のレール状構造上に載せる構造の方が、前記薄いスライド標本を、収納区画形成格子状構造で形成されたスライド標本よりそれ程広くないスライドグラス収納区画部に出し入れするには、適確な構造である。
【００３３】
前記適確な構造を得るためには、次の何れかのマッペが必要となる。
（１）マッペ本体の底部と収納区画形成格子状構造とで突起構造のレール状突起を挟持する構造のマッペ（「タイプ１のシステムマッペ」という）、
（２）突起構造のレール状突起は、マッペ本体の底部の一構造として形成されており、そのスライド標本を橋状に掛け止めるレール状突起の平行なレールの内側の底部は、レールの内側の幅に切り込まれており、底部の片方で全ての底部が連結して一体になっており、その全ての底部と収納区画形成格子状構造とが嵌め込み形式か、又は、マグネット形式で嵌合一体化するマッペ(「タイプ２のシステムマッペ」という)、
【００３４】
（３）前記システムマッペの前記生物試料スライド標本の各々を整列整理収納する区画を形成するための各格子状構造の各区画底部において、その該マッペの格子状構造の下側底部に該生物試料スライド標本を自動的機械的に移送または滑走や持ち上げる行為を簡便にできることを保証する該生物試料スライド標本を最低一面または二面以上の該生物試料スライド標本の底面積より狭い面上に載せることができる構造物、たとえば、レール状、テーブルの脚状、又は、台状突起、を差し込み嵌合可能な差し込み溝の開口部を形成したマッペ（「タイプ３のシステムマッペ」という）。
【００３５】
前記タイプ１のシステムマッペでは、突起構造のレール状突起上をスライド標本を滑らしてスライド標本の収納出し入れができる。しかし、この構造のシステムマッペは、重くなる可能性がある。
【００３６】
前記タイプ２のシステムマッペでは、突起構造のレール状突起上をスライド標本を滑らしてスライド標本の収納出し入れができる。しかし、この構造のシステムマッペも重くなり、また、強度が弱くなる可能性が大である。
【００３７】
前記タイプ３のシステムマッペでは、突起構造がテーブルの脚状又は台状突起であり、例えレール状構造を成形しても各スライドグラス収納区画部毎に分離した形状に成っているが、マッペとしての重さや強度は良く、この構造形式をとれば各スライドグラス収納区画部からの機械的なスライド標本の収納出し入れも簡単になり、その機械的構造面も可能性が拡がり、スライド標本をレール状構造の上を押し滑らすこともできる。
【００３８】
その上、突起構造の上面部が格子状構造の上面部より若干高くなっている為に、スライド水平移動装置の挟持先端部が、各スライドグラス収納区画部の格子状構造に邪魔されることなく、スライド標本のスライド標本両端部を簡単に挟持保持することが可能になり、スライド水平移動装置で簡単に挟持保持してスライド標本をスライドグラス収納区画部に収納し、レール状突起形成板を取り外すと、該スライド標本はマッペ底部に当接し、前記収納区画部に完全収納され、更に、前記レール状突起形成板を再度装着嵌合してスライド標本を取り出す様に、スライド標本の出し入れが単純な機械構造が達成できる。
【００３９】
前記システムマッペを用いると、各患者や研究用生物から採取された試料を染色・封入して作製された直後の多数の封入剤が緩くまだ完成していない該スライド標本を顕微鏡のステージ上に載せてその判定診断鏡検や顕微鏡接写作業をすることが出来るし、封入剤が乾燥した完成スライド標本を作製するため、前記システムマッペ上に重なる部分の無いように整然と広げて多数順次整理収納する、自動スライド標本マッペ収納移送装置を配置し、既製の自動封入機と連結させて無人での稼働ができる自動封入装置システムを形成することができる。
【００４０】
本件発明は、既に本件発明者が出願した「生物試料包埋ブロックカセットラック及びそれを用いる自動シーリング並にカセット保管管理装置」と併用すると、その試料の元サンプルである生物特定データ（患者データ等）とデータリンク付けが確実に実施されている試料ブロックカセットとスライド標本の確実な整理保管管理とその画像データ（バーチャルスライド）の確実なファイルが出来上がって、素早い検索可能なデータ保管システムとなる。
【００４１】
前記システムマッペを用いると、自動スライド標本マッペ収納移送装置の機能動作を逆回転させて、やはり本件発明者が発明したスライド標本配列整理移送用の該システムマッペ上に多数順次整理収納されて、その元サンプルである生物特定データ（患者データ等）とデータリンク（関連）付けが確実に実施されている該スライド標本を、無人で該システムマッペから判定診断鏡検や顕微鏡接写作業をする顕微鏡のステージ上に載せて、無人の夜中の時間でも何百枚のスライド標本のその元サンプルとデータリンク付けられた画像取込み作業を実行することができる。
【００４２】
顕微鏡の判定診断鏡検や顕微鏡接写作業の完了したスライド標本は、順次元の或いは他のシステムマッペに再び整理収納することもできるが、上記の顕微鏡作業が完了した該スライド標本を、やはりその所在収納箇所をデータリンクしてある該スライド標本整理保管ケースの目的のスライド標本収納箇所に、自動または半自動的に収納管理保管することができる。
【００４３】
また、テレパソロジーやテレサイトロジー等の遠隔診断や既往診断データでもあるその元サンプルである生物特定データ（患者データ等）とデータリンク付けが確実に実施されている画像データ（バーチャルスライド）を、無人的にも確実に取込み保管管理できる。
【００４４】
これは種々の生物特定データ（患者データ等）とデータリンク付けが確実に実施された、文字情報のみではなく、取込み作業の時間が掛る画像情報を含んだ医療情報を、電子カルテの中に反映させることが可能になる。
【実施例】
【００４５】
この発明の実施例を説明するが、最初に前記タイプ３のシステムマッペについて説明する。
タイプ３のシステムマッペ：
タイプ３のシステムマッペ７Ａは図１に示す様に、マッペ本体７と、該マッペ本体７に設けられた収納区画形成格子状構造（以下、「格子状構造」という）７ａと、該マッペ７の下面に重合されるレール状突起形成板（以下、「形成板」という）９ａと、を備えている。
【００４６】
マッペ本体７は、長方形状に形成され、その底部７ｄには、レール状突起差込み溝（以下、「差込み溝」という）７ｅが設けられている。差込み溝７ｅは、格子状構造７ａのスライドグラス収納区画部（以下、「区画部」という）７ｂ内に、間隔をおいて二本平行に設けられている。
【００４７】
格子状構造７ａは、前記マッペ本体７に対応して、方形状に形成されている。この格子状構造７ａには、方形状に仕切られた複数の区画部７ｂが設けられており、各区画部７ｂの枠部には、図２に示す様に、スライド採取指差込み部７ｆが設けられている。
【００４８】
前記形成板９aは、格子状構造の各区画底部にそのマッペの格子状構造の下側底部に該生物試料スライド標本を自動的機械的に移送または滑走や持ち上げる行為を簡便にできることを保証するものであり、マッペ本体７と対応する方形状に形成されている。この形成板９ａの上面には、突起状構造９が設けられているが、この突起構造９は、スライド標本を最低一面または二面以上の該生物試料スライド標本の底面積より狭い面上に載せることができる構造である。この構造９は、例えば、テーブルの脚状突起、即ち、平行状に配設された二本一対の板体、により構成されており、両脚状突起の間隔は、スライド標本１aの両端部を橋渡し状態で支持できる大きさに形成されている。なお、突起構造は前記突起に限定されるものではなく、たとえば、台状突起や複数の棒状突起でもよい。
【００４９】
この脚状突起の幅は、差込み溝７ｅに挿入出来る厚さに形成され、その長さＬ９は、区画部７ｂの幅Ｌ７より小さく形成されている。又、該板状突起の高さH９は、前記板状突起を前記差込み溝７ｅに挿着した時に、その先端が格子状構造７aから突出する高さに設計されている。即ち、この高さＨ９は、図７に示すように、マッペ本体７の厚さ寸法に格子状構造９の高さ寸法を加えた寸法Ｈよりも、大きな寸法で設計されている。
【００５０】
このシステムマッペ７Ａでは、封入済のスライド標本１ａを区画部７ｂに収納した後（図３参照）、図４に示す様に、マッペ本体７の下面に形成板９ａを重合し、差込み溝９ｅに突起構造９の脚状突起を挿着すると、図５に示す様に、該突起は、スライド標本１ａを押し上げながら上昇し、該スライド標本１ａを格子状構造７ａから突出させる。
【００５１】
前記突起上のスライド標本１ａは、スライド標本移動手段、例えば、図６に示す様に、先端部に開閉自在な一対のチャック１２ｃを設けた、水平垂直旋回動可能なスライド水平移動装置１２、を用いて、所望の場所、例えば、顕微鏡ステージに搬送される。
【００５２】
この時、スライド標本１ａは図６に示す様に、その側面をチャック１２ｃで挟まれるが、この側面は、格子状構造７ａからから突出しているので、前記チャック１２ｃは、該格子状構造７ａに邪魔されることなく円滑に挟持作業を行うことが出来る。即ち、格子状構造７ａを外さなくても、スライド標本１ａを容易に挟持し移動することが出来る。
【００５３】
顕微鏡ステージに搬送されたスライド標本１aは、顕微鏡鏡検及び接写作業終了後、再び前記スライド移動装置１２により、システムマッペ７Ａの元の区画部７ｂに戻される。
【００５４】
この時、形成板９ａの脚状突起が、格子状構造７ａから突出しているので、チャック１２ｃは、該格子状構造７ａに邪魔される事なく、円滑にスライド標本１aを前記突起に載置することが出来る。
【００５５】
前記スライド標本１ａがシステムマッペ７Ａの各区画部７ｂに戻された後、図７に示す様に、形成板９ａをマッペ本体７から離し、差込み溝７ｅから突起構造９の脚状突起を抜くと、突起構造９上のスライド標本１ａは、マッペ本体１ａの底部７ｄに当接する。そのため、該スライド標本１ａは、マッペ本体７が水平方向に揺動しても、区画部７ｂから抜け出ることはない。
【００５６】
タイプ１のシステムマッペ；
タイプ１のシステムマッペ７Ｂは、図８、図１０に示す様に、マッペ本体７と、該マッペ本体７に着脱自在に設けられた格子状構造７ａと、該マッペ本体７の底部７ｄに載置されるレール状の突起構造９と、を備えている。
【００５７】
マッペ本体７は、長方形状に形成され、その外周縁部には、嵌め込み嵌合部１５ａが設けられている。
【００５８】
格子状構造７ａは、前記マップ本体７に対応する方形状に形成されている。この構造７ａには、方形状に仕切られた複数の区画部７ｂが設けられており、その外周縁部は、前記嵌合部１５ａに嵌め込まれる嵌着部１５ｂとなっている。
【００５９】
レール状構造９は、二本一対のレール状突起９ｄから構成され、該両レール状突起９ｄの先端は、固定部材９ｅに連絡されて一体となっている。
【００６０】
レール状突起９ｄは、マッペ本体７のほぼ全長にわたる長さに形成されており、該両レール状突起９ｄの間隔は、スライド標本１ａの両端部を載置出来る大きさに設定される。このレール状構造９は、複数対設けられている。
【００６１】
このシステムマッペ７Ｂでは、図９に示す様に、マッペ本体７にレール状構造９を載置した後、該レール状構造９に格子状構造７ａを被せ、嵌着部１５ｂを嵌合部１５ａに嵌め込む。そうすると、レール状構造９は、マッペ本体７と格子状構造７ａにより挟まれて固定される。
【００６２】
このシステムマッペ７Ｂでは、格子状構造７ａをマッペ本体７から外した状態で、スライド標本１ａを、図１１〜１３に示す様に、スライド押し込み装置１０を用いてレール状構造９上を滑らせ、該システムマッペに収納出し入れされる。
【００６３】
図１１において、図１１（Ａ）では、スライドグラス載せ部４に封入前のスライド標本１を載せ、図示しない封入装置を用いて、該スライド標本１上の薄切切片を、封入剤２ａを介してカバーグラス２で封入する。
【００６４】
図１１（Ｂ）では、該載せ部４は、二本の平行な棒体で形成され、又、レール状構造９も二本の平行な棒体で形成され、該載せ部４上のスライド標本１ａは、スライド押込み装置１０により、矢印Ａ１方向に押され、前記レール状構造９上を滑動する。
【００６５】
図１１（Ｃ）では、前記載せ部４は、二本の平行な板体で形成され、又、レール状構造９も二本の平行な板体で形成されている。スライド標本１ａの移動方法は、前記と同様である。
【００６６】
図１２において、図１２（Ａ）では、レール状構造９の所定位置にスライド押込み装置止め７ｃが設けられている。図１２（Ｂ）では、スライド押込み装置１０が、前記止め７ｃに当接し、前記装置１０の移動を規制している。
【００６７】
図１２（Ｃ）では、該載せ部４からレール状構造９に受け渡す位置に、バーコードリーダ１１を設け、該バーコードリーダ１１で、スライド標本１ａに貼り付けられているバーコード、即ち試料患者データを含む生物特性データである試料管理番号や患者番号等の特性を現す、データ伝達メディア１７、を読み取り、図示しないコンピュータ装置に送出する。
【００６８】
図１３では、前記載せ部４上のスライド標本１ａを、スライド押込み装置１０により矢印Ａ１方向に押し出し、レール状構造９上を滑らせる。
【００６９】
図１４では、スライド標本１ａを収納したシステムマッペ７Ｂを積み重ねて保管する。
【００７０】
タイプ２のシステムマッペ：
タイプ２のシステムマッペ７Ｃでは、図１５、図１６を示す様に、レール状構造９は、マッペ本体７の底部７ｄの一部構造として形成されており、そのスライド標本１ａを橋状に掛け止めるレール状構造９の平行なレールの内側の底部は、該レールの内側の幅にコ字状に切り込まれ、Ｕ字状のスライド出入操作溝１４が形成されており、その底部７ｄの片方で全ての底部が連結して一体になっている。
【００７１】
格子状構造７ａは、マップ本体７の側縁部に設けた嵌合部１５ａに嵌め込まれて固定されるが、この嵌合固定の代わりに、マグネットで両者を磁気吸着してもよい。
【００７２】
このタイプ２のシステムマッペ７Ｃでも、前記タイプ１のシステムマッペ７Ｂと同様に、スライド標本１ａをレール状構造９上で滑らせ、該スライド標本１ａを収納出し入れすることが出来る。
【００７３】
その他の実施例：
スライドグラスのスタンダードの大きさは２６．５×７６．５×１ｍｍ程度である。この大きさで作製されるスライド標本１ａを出来るだけ多く収納するためには、底面積の広い構造で１ｍｍ程度の厚さを収納できる薄い収納空間の積み重なりが合理的である。これは丁度マッペを重ねて積んだ構造に良く似ている。
【００７４】
また、染色・封入済みスライド標本１ａを判定診断鏡検や顕微鏡接写前の場合にはスライド標本整理保管ケースには整理保管せずに所謂マッペに順次整理収納しており、スライド標本１ａ を一層に順序よく整列させてスライド標本１ａ の染色や薄切具合等の標本の出来具合や標本試料の混入・紛失の有無のチェックを各患者（各生物特性）ごとに実施してから判定診断鏡検や顕微鏡接写作業を実施している。
そこで、このマッペでの確認もしながらマッペに順次収納された染色・封入済みスライド標本１ａをマッペから機械的に直接に顕微鏡ステージ上に載せることを提案した。これは、各種光学メーカーや画像メーカーが自動的な顕微鏡ステージ上の顕微鏡画像の取込みに力を注ぎそれらのバーチャルスライドをテレパソロジーやテレサイトロジー等の遠隔診断や既往スライド標本データリンク画像や電子カルテ画像の利用を試みているからである。
何故ならば、現在顕微鏡ステージ上のスライド標本１ａ の自動送りや自動調整による自動的画像の取込みと保存は有る程度できるように成り、２０枚程度のスライドカートリッジからの顕微鏡ステージ上へのスライド標本１ａ の送出しも提案されてきたが、まだ１００枚以上１０００枚以上のスライド標本１ａ を顕微鏡ステージ上に送出し載せることができる自動スライド標本マッペ収納移送装置１６とそのシステムマッペの開発提案はされていない。
【００７５】
そこで、顕微鏡ステージへのスライド標本１ａ の移送は、図１７の方向変換装置１８に目的のスライド標本１ａを載せることができれば、自動スライド標本マッペ収納移送装置１６が顕微鏡ステージ１９ａ上にスライド標本１ａを載せることは実行できる。
【００７６】
図１７において、システムマッペに収納されているスライド標本１ａは、スライド水平移動装置１２により、方向転換装置１８の第１ステージS上に搬送される。そうすると、バーコードリーダ１１がデータ記載部３３のバーコード１７を読み込み、患者番号等のデータを、図示しないコンピュータ装置に送出し、記憶管理される。
【００７７】
バーコードを読み終わると、方向転換装置１８が９０°回転し、該スライド標本１ａを顕微鏡１９のステージ１９ａ上に位置させ、該ステージ１９ａに移し替える。そうすると、顕微鏡鏡検及び接写が行われ、画像取り込み装置２０により、取り込まれたスライド標本１ａの画像は、前記コンピュータ装置に送出され、記憶保管される。
【００７８】
顕微鏡鏡検が終了すると、該方向転換装置１８は、該ステージ１９ａから、スライド標本１ａを受け取った後、更に９０°回転し、スライド水平移動装置１２にスライド標本１ａを渡す。該スライド水平移動装置１２は、スライド標本１ａを挟持しながら、システムマッペ上まで移動し、該スライド標本１ａを元の区画部７ｂに収納する。
【００７９】
また、顕微鏡の判定診断鏡検や顕微鏡接写完了後のスライド標本１ａを他のマッペや専用のスライド標本整理保管ケースに収納することができる。タイプ２のシステムマッペ７Ｂでは、格子状構造７ａ を取り外したマッペ底部７ｄ上のスライド標本１ａ を、スライド標本１ａの移動方向Ａ１ に沿って手の指で、一箇所に該スライド標本１ａ を順番に重ねられたスライド標本１ｃ にしてスライド標本整理保管ケース２３に簡単に素早く整理保管することができる。
【００８０】
図１８において、１ｃは順番に重ねられたスライド標本、１ｄは、整理保管ケースに収納されたスライド標本、２４は標本整理保管ケース収納箱２５は、スライド標本整理保管ケース２３のバーコード等情報伝達メディア、２６は該ケース２３の取っ手、２７は該ケース収納箱２４のバーコード等情報伝達メディア、３３はデータ記載部を、それぞれ示す。前記バーコード等情報伝達メディア２５、２７、３３等は、読み取り装置により読み取られ、図示しないコンピュータ装置に送出され、記憶保管されている。
【００８１】
このことは、図１９に示す様に、図１１や図１２と逆の機械的な動きによってな実行することができる。
【００８２】
このことは、図１〜図４，図２１〜図２３（Ａ）（Ｂ）に示す如くに、システムマッペ７Ａの前記生物試料スライド標本１ａ の各々を整列整理収納する区画を形成するための各格子状構造７ａ の各区画７ｂ 底部において、その該マッペの格子状構造７ａ の下側底部７ｄ に該生物試料スライド標本１ａ を自動的機械的に移送または滑走や持ち上げる行為を簡便にできることを保証する該生物試料スライド標本１ａ を最低一面または二面以上の該生物試料スライド標本１ａ の底面積より狭い面上に載せることができる構造物を差し込み嵌合可能な差し込み溝７ｅ の開口部を形成している、第３のシステムマッペ７Ａを用いても同じことができる。
【００８３】
このことは、図８〜図１０に示す如く、マッペ本体の底部７ｄと収納区画形成格子状構造７ａとでレール状構造９を挟持する構造の第１システムマッペ７Ｂでは図１１〜１４に示すように、レール状構造９上をスライド標本１ａを滑らしてスライド標本１ａの収納出し入れで同じことができる。
即ち、タイプ１、タイプ２、タイプ３の各タイプのシステムマッペ７Ａ、７Ｂ、７Ｃを用いたどの自動スライド標本マッペ収納移送装置１６を作製しても、スライド標本１ａの収納も送出しも運転する方向を逆回転させるだけで可能である。
【００８４】
しかし、タイプ３のシステムマッペ７Ａを用いた自動スライド標本マッペ収納移送装置１６のスライド標本１ａ の移送法は、図１〜図４、図２１〜図２３（Ａ）（Ｂ）に示す如くに、システムマッペ７Ａの前記生物試料スライド標本１ａ の各々を整列整理収納する区画を形成するための各格子状構造７ａ の各区画７ｂ 底部において、その該マッペの格子状構造７ａ の下側底部７ｄ に該生物試料スライド標本１ａ を自動的機械的に滑走する方法であって、タイプ３の図２０のスライド水平移動装置１２、図１〜図７、図２３（ｃ）に示す如くに、システムマッペ７Ａの前記生物試料スライド標本１ａの各々を整列整理収納する区画を形成するための各格子状構造７ａの各区画７ｂ底部において、その該マッペの格子状構造７ａの下側底部７ｄに該生物試料スライド標本１ａを自動的機械的に持ち上げ移送する行為を簡便にできることを保証する該生物試料スライド標本１ａを最低一面または二面以上の該生物試料スライド標本１ａの底面積より狭い面上に載せることができる構造物を、差し込み嵌合可能な差し込み溝７ｅ の開口部を形成しているシステムマッペ７Ａを用いて、スライド水平移動装置１２でスライド標本１ａを水平にスライド標本両端部３４を挟持保持してシステムマッペ７Ａの各スライドグラス収納区画部７ｂに移動収納出し入れするシステムではない。
【００８５】
そこで、自動スライド標本マッペ収納移送装置１６の構造を最も簡単にして確実にスライド標本１ａを目的のシステムマッペ７Ａの所定の位置であるスライドグラス収納区画部７ｂへの出し入れを実現するために、タイプ３ のシステムマッペ７Ａと図２０のスライド水平移動装置１２とを機能部品として組み入れた自動スライド標本マッペ収納移送装置１６の実施例について説明する。
【００８６】
システムマッペ７Ａの構造と機能性については、平面図の図４に対して側面図の図５と、平面図の図３に対して側面図の図７が対応している。
【００８７】
即ち、図５〜図７、図２０に示す如くに、突起構造９の脚状突起をレール状突起形成板９ａごとシステムマッペ７Ａのレール状突起差込み溝７ｅ から挿入装着すると、突起構造９の上面部が格子状構造７ａの上面部より若干高くなっている為に、スライド水平移動装置１２の挟持先端部が各スライドグラス収納区画部７ｂの格子状構造７ａに邪魔されることなくスライド標本１ａのスライド標本両端部３４を簡単に挟持保持することが可能になり、図６の様に、スライド水平移動装置１２で簡単に挟持保持してスライド標本１ａをスライドグラス収納区画部７ｂに収納する。
【００８８】
そして、図７の様に、突起構造９をレール状突起形成板９ａごと取り外すと、該スライド標本１ａを完全に目的のスライドグラス収納区画部７ｂに収納出来きる。また、レール状突起形成板９ａを再度該レール状突起差込み溝７ｅ に装着嵌合してスライド標本１ａ を前記格子状構造７ａ の上部に押し上げ、スライド水平移動装置１２の挟持先端部でスライド標本１ａのスライド標本両端部３４を挟持保持して目的の箇所まで移送する機能構造にすると、スライド標本１ａの自動スライド標本マッペ収納移送装置１６が単純な機械構造で作製できる。
【００８９】
因みにスライド水平移動装置１２の縦横斜めの動きと挟持先端部の動きに関しては既に多くの機械的な動きとして実現している。
【００９０】
これらの装置のイメージ図としては、図２４乃至図２６等が考えられる。図２４乃至図２６の空マッペの重なりは、図２７の様に、レール状突起形成板９ａ を取り外したシステムマッペ７Ａのみの重さである。
【００９１】
また、自動封入装置からの連結連動部としては、図１１のスライドグラス載せ部４から連結連動できる。
【００９２】
また、顕微鏡ステージへのスライド標本１ａ の自動移送連結連動部分は、図１７の方向転換装置１８が有用である。
【００９３】
また、所定のスライド標本整理保管ケース２３へのスライド標本１ａ の自動移送連結連動部分に関しては、前述のように、一箇所にスライド標本１ａ を順番に重ねられたスライド標本１ｃ にしてスライド標本整理保管ケース２３に簡単に素早く整理保管する方法と、図２８（Ａ）ように、自動封入機の内部機能部分に各社所定の染色籠２８の染色脱水透徹済み封入前スライドグラス１を機械的に立てに抜き取り後、図２８（Ｂ）に示すように、水平に回転させてスライドグラス載せ部４に封入前スライドグラス１を移し替えるスライド挟持装置２９を含む機能を発展させて、図２９（Ａ）の様に、該スライド水平移動装置１２で該スライドグラス載せ部４に移送された前記スライド標本１ａ を、図２９（Ｂ）（Ｃ）の如く、該スライド挟持装置２９でスライド標本１ａのフロスト（データ記載部）３３の表裏部分を挟持保持して、図３０に示すスライド標本整理積重器３５ や図３１に示すスライド標本整理保管ケース２３ の設置角度に合わせて、目的の所定の箇所にスライド標本１ａを順次収納していく。
【００９４】
また、図３２に示すように、スライド標本１ａを積層する場合には、使用済みのスライド標本１ａをスライドグラス載せ部４に別の自動スライド標本マッペ収納移送装置１６或いは図１７の方向転換装置１８で移送して載せ替えて、該スライド水平移動装置１２で該スライド標本１ａのスライド標本両端部３４を挟持保持して規則的なスライド収納順番１３にスライド挟持機の動き１２ａ で規則的に配列整理された複数の枚数のスライド標本１ｃ群を作製していく。
【００９５】
また、図３３では、図１８（Ａ）でタイプ２のシステムマッペ７Ｂで順番に重ねられたスライド標本１ｃを、図１８（Ｂ）でスライド標本整理保管ケース２３に整理収納するのと同様に、図３２で自動スライド標本マッペ収納移送装置１６の機能動作を用いて該スライド標本１ａのスライド標本両端部３４を挟持保持し、規則的なスライド収納順番１３にスライド挟持機の動き１２ａ で規則的に配列整理された複数の枚数のスライド標本１ｃ群を、該スライド標本整理保管ケース２３に順次整理収納保管している。
【００９６】
上記実施例では、格子状構造の各区画底部にそのマッペの格子状構造の下側底部に該生物試料スライド標本を自動的機械的に移送または滑走や持ち上げる行為を簡便にできることを保証する構造は、レール状構造に限定されるものではなく、例えば、スライド標本を最低一面または二面以上の該生物試料スライド標本の底面積より狭い面上に載せることができるテーブルの脚状や台状構造でも良いことは勿論である。
【図面の簡単な説明】
【００９７】
【図１】本件発明のタイプ３のシステムマッペの部品を示す視図である。
【図２】図１の要部拡大図である。
【図３】マッペ本体と形成板とを離間させた状態を示す斜視図である。
【図４】本件発明のタイプ３のシステムマッペの使用状態を示す平面図である。
【図５】図４のＶ−Ｖ線断面図である。
【図６】スライド標本をスライド水平移送装置で挟持した状態を示す縦断面図である。
【図７】図３のVII−VII線断面図である。
【図８】本件発明のタイプ１のシステムマッペの部品を示す視図である。
【図９】本件発明のタイプ１のシステムマッペの平面図である。
【図１０】本件発明のタイプ１のシステムマッペの使用状態を示す斜視図である。
【図１１】タイプ１のシステムマッペの移動方法を説明する図であり、図１１（Ａ）はスライド標本の封入時の状態を示す斜視図、図１１（Ｂ）は突起構造が棒体状突起の場合の斜視図、図１１（Ｃ）はテーブルの脚状突起である場合の斜視図、を示す。
【図１２】タイプ１のシステムマッペの使用状態の図で、図１２（Ａ）は側面図、図１２（Ｂ）は図１２（Ａ）の要部拡大図、図１２（Ｃ）は平面図である。
【図１３】タイプ１のシステムマッペの使用状態を図で、スライド標本を滑らせている状態を示す斜視図である。
【図１４】タイプ１のシステムマッペを重ねた状態を示す斜視図である。
【図１５】タイプ２のシステムマッペの部品を示す平面図である。
【図１６】本件発明のタイプ２のシステムマッペの使用状態を示す平面図である。
【図１７】方向変換装置にてスライド標本を搬送する状態を示す平面図である。
【図１８】スライド標本の収納状態を示す斜視図で、図１８（Ａ）はスライド標本の収納前の積層を示す斜視図、図１８（Ｂ）は積層したスライド標本を収納箱に収納した状態を示す斜視図、である。
【図１９】本件発明のタイプ２のシステムマッペの使用状態を示す平面図である。
【図２０】システムマッペの区画部にスライド標本を移動している状態を示す平面図である。
【図２１】タイプ３のシステムマッペにスライド標本を移動している状態を示す斜視図である。
【図２２】図２２（Ａ）は、タイプ３のシステムマッペのスライド標本を移動している状態を示す斜視図、図２２（Ｂ）は図２２（Ａ）の要部拡大図である。
【図２３】本件発明のタイプ３のシステムマッペのスライド標本を移動させている状態を示す縦断面図である。
【図２４】自動スライド標本マッペ収納移動装置の斜視図である。
【図２５】自動スライド標本マッペ収納移動装置の正面図である。
【図２６】自動スライド標本マッペ収納移動装置の正面図である。
【図２７】レール状突起形成板を取り外したシステムマッペの積重を示す縦断面図である。
【図２８】図２８（Ａ）は染色脱水透徹済み封入前スライドを収納した染色籠を示す斜視図、図２８（Ｂ）は、スライド標本をスライドグラス載せ部に移し替える状態を示す斜視図である。
【図２９】図２９（Ａ）はスライド標本をスライド水平移動装置でスライドグラス載せ部に移送した状態を示す斜視図、図２９（Ｂ）はスライド標本をスライド狭持装置で挟持している状態を示す斜視図、図２９（Ｃ）は狭持したスライド標本をスライドグラス載せ部から離した状態を示す斜視図である。
【図３０】スライド標本をスライド整理積重器に収納している状態を示す斜視図である。
【図３１】スライド標本をスライド標本整理保管ケースに収納している状態を示す斜視図である。
【図３２】複数の枚数のスライド標本群を作製している状態を示す斜視図である。
【図３３】複数の枚数のスライド標本群を、スライド標本整理保管ケースに収納保管する状態を示す斜視図である。
【符号の説明】
【００９８】
１ａ        スライド標本
４          スライドグラス載せ部
７          マッペ本体
７Ａ        タイプ３のシステムマッペ
７Ｂ        タイプ１のシステムマッペ
７Ｃ        タイプ２のシステムマッペ
７ａ        収納区画形成格子状構造
７ｂ        スライドグラス収納区画部
７ｄ        マッペ本体の底部
７ｅ        突起差込み溝
９          突起構造
９ａ        突起形成板  
１１        情報記憶部読取り機（リーダ）  
１２        スライド水平移動装置
１６        自動スライド標本マッペ収納移送装置
１７        バーコード等情報伝達メディア
１８        方向転換装置
１９        顕微鏡
【図１】
2007147399.tif 000003
【図２】
2007147399.tif 000004
【図３】
2007147399.tif 000005
【図４】
2007147399.tif 000006
【図５】
2007147399.tif 000007
【図６】
2007147399.tif 000008
【図７】
2007147399.tif 000009
【図８】
2007147399.tif 000010
【図９】
2007147399.tif 000011
【図１０】
2007147399.tif 000012
【図１１】
2007147399.tif 000013
【図１２】
2007147399.tif 000014
【図１３】
2007147399.tif 000015
【図１４】
2007147399.tif 000016
【図１５】
2007147399.tif 000017
【図１６】
2007147399.tif 000018
【図１７】
2007147399.tif 000019
【図１８】
2007147399.tif 000020
【図１９】
2007147399.tif 000021
【図２０】
2007147399.tif 000022
【図２１】
2007147399.tif 000023
【図２２】
2007147399.tif 000024
【図２３】
2007147399.tif 000025
【図２４】
2007147399.tif 000026
【図２５】
2007147399.tif 000027
【図２６】
2007147399.tif 000028
【図２７】
2007147399.tif 000029
【図２８】
2007147399.tif 000030
【図２９】
2007147399.tif 000031
【図３０】
2007147399.tif 000032
【図３１】
2007147399.tif 000033
【図３２】
2007147399.tif 000034
【図３３】
2007147399.tif 000035